(57)【要約】【課題】容器の外観に特異性を付与して意匠性の向上を図ると共に鏡としての使用性を損なわず、蓋を閉めた状態においても容器の内側を見ることができる化粧用コンパクト容器を提供する。【解決手段】化粧料や化粧用具を収納するための凹部を有する容器本体（１）と、該容器本体（１）に開閉自在に枢着された蓋体（２）とからなる化粧用コンパクト容器において、光透過性を有するフィルム状のカバー材（５）の内部に、このカバー材（５）の面と略直交する向きに複数の視野角制限体（６）を配設して透過光の放射角や方向を制限するようにした視野角制限手段（７）を裏面（９）に配置したハーフミラー（８）の鏡面を該蓋体（２）の表面（１０）に配置してなることを特徴とする。【選択図】  図１
2004290564.tif 000002
【特許請求の範囲】
【請求項１】
化粧料や化粧用具を収納するための凹部を有する容器本体と、該容器本体に開閉自在に枢着された蓋体とからなる化粧用コンパクト容器において、光透過性を有する面状体の内部にこの面状態と略直交する向きに複数の視野角制限体を間隔を存して配列し透過光の放射角や方向を制限するようにした視野角制限手段を前記蓋体に配置してなることを特徴とする化粧用コンパクト容器。
【請求項２】
前記視野角制限体の表面に、文字や図形、記号、絵柄等の模様を施したことを特徴とする請求項１に記載の化粧用コンパクト容器。
【請求項３】
前記視野角制限体の表面に、多層構造フィルム或いは蒸着加工処理を施しメタリック調の表面仕上げとしたことを特徴とする請求項１又は２に記載の化粧用コンパクト容器。
【請求項４】
前記視野角制限体の表面を曲面形状或いは凹凸を有する表面状態としたことを特徴とする請求項１乃至３に記載の化粧用コンパクト容器。
【請求項５】
視野角制限手段と蓋体の間にハーフミラーを配置して積層構造としたことを特徴とする請求項１乃至４に記載の化粧用コンパクト容器。
【請求項６】
視野角制限手段若しくはハーフミラーが配置された蓋体の少なくとも一部分を透明乃至半透明としたことを特徴とする請求項１乃至５に記載の化粧用コンパクト容器。
【請求項７】
視野角制限手段若しくはハーフミラーが配置された蓋体の少なくとも一部分を表裏に貫通して切除したことを特徴とする請求項１乃至６に記載の化粧用コンパクト容器。
【発明の詳細な説明】
【０００１】
【発明の属する技術分野】
本発明は、化粧料及び化粧用具を収納するための化粧用コンパクト容器に関する。
【０００２】
【従来の技術】
従来より化粧料とパフ等の化粧用具とを収容する化粧用コンパクト容器は公知であり、中でも化粧行為の利便性を考慮して蓋の裏側に鏡を設けたものが多数存在する。例えば、特開２０００−２７９２２５号公報に示すようなものがある（特許文献１参照。）。しかしこの場合、蓋を閉めた状態においては殆ど容器の内側を見ることができないという欠点がある。これに対し、透明体からなる蓋の裏側等にハーフミラー蒸着箔を施して、鏡としての機能を付与しつつ容器の内側を見せたいという要望に応ずるようにしたものがあるが、蓋を開けて鏡として使用する場合、周囲が明るいと反対側が透けてしまい鏡としては使いづらいという問題があった。
【０００３】
また透過光の放射角を制限することができるフィルム状の視野角制限手段は、公知の技術であり、この技術を応用したものには、前記視野角制限手段を画像表示装置の表面に配設して視野角を制限するようにした技術等がある。しかしながら、視野角制限手段を化粧用コンパクト容器に利用したものは提案されていない。
【０００４】
【特許文献１】
特開２０００−２７９２２５号公報（第１−２頁、第１図）
【０００５】
【発明が解決しようとする課題】
本発明は、以上の問題点に鑑みてなされたものであり、容器の外観に特異性を付与して意匠性の向上を図ると共に鏡としての使用性を損なわず、蓋を閉めた状態においても容器の内側を見ることができる化粧用コンパクト容器を提供せんとするものである。
【０００６】
【課題を解決するための手段】
上記課題を解決するために本発明が採った手段は、化粧料や化粧用具を収納するための凹部を有する容器本体と、該容器本体に開閉自在に枢着された蓋体とからなる化粧用コンパクト容器において、光透過性を有する面状体の内部にこの面状体と略直交する向きに複数の視野角制限体を間隔を存して配列し透過光の放射角や方向を制限するようにした視野角制限手段を蓋体の面上、好ましくは蓋体の表面に配置してなることを特徴とする。蓋体の裏面に視野角制限手段を配置しても良く限定されない。
【０００７】
また、前記視野角制限体の表面に文字や図形、記号或いは絵柄等の模様、若しくは曲面形状や凹凸を施して、視野角制限手段の内部を加飾したことを特徴とする。
【０００８】
また、前記視野角制限手段と蓋体との間にハーフミラーを配置して積層したこと又は蓋体の裏面に視野角制限手段を配置し更にこの内側表面にハーフミラーを配置して積層したことを特徴とする。  或いは、蓋体の表面に視野角制限手段を配置し、蓋体の裏面にハーフミラーを配置しても良く、若しくは蓋体の裏面に視野角制限手段を配置し、この視野角制限手段に対し更にハーフミラーを積層する構造でも良い。すなわち、蓋体と視野角制限体及びハーフミラーを積層配置する順序は特に限定されない。またハーフミラーの鏡面は容器の内側又は外側のどちらに向けて配置しても良く特に限定されないが、鏡としての使用性を重視する場合には、鏡面を容器の内側に向けて配置することで、鏡を見ながら容器内に収容された化粧料や化粧用具を使用することができて便利が高くなり好ましい。
【０００９】
また、視野角制限手段若しくはハーフミラーが配置された蓋体の少なくとも一部分を透明乃至半透明とするか又は該蓋体の少なくとも一部に該蓋体の表裏面を貫通した貫通孔を形成したことを特徴とする。
【００１０】
【発明の実施の形態】
本発明の好ましい実施の形態を以下に説明する。本発明は、容器本体の上面に化粧料及び化粧用具を収納する凹部を有し、該容器本体に、蓋体を開閉自在に枢着してなる化粧用コンパクト容器において、光透過性を有する面状体の内部にこの面状態と略直交する向きに適当な厚さを有する複数の視野角制限体を適当な間隔で配設して、透過光の放射角や方向を制限するようにしてなる視野角制限手段を該蓋体の表面に配置したことを特徴とし、該視野角制限手段を透過する光が、必要な範囲に透過し、不要な範囲への透過を制限でき、これを見る角度によって外観を多様な意匠に変化させ、立体感を付与することが可能な構造となっている。
【００１１】
特に、該視野角制限体の表面に文字や図形、記号或いは絵柄等の模様を施して、視野角制限手段の内部を加飾したものは特定の斜めからの視点において、この角度や方向に対応する特定の予め施された模様を目視確認することができて意匠上好ましい。或いは、該視野角制限体の表面に多層構造フィルム又は蒸着加工処理によるメタリック調の表面仕上げを施して視野角制限手段の内部を加飾したものや該視野角制限体の表面を曲面形状若しくは凹凸を有する表面状態として視野角制限手段の内部を加飾したものを用いた構成としても良く、この場合、外部の光の変則的な反射等も付加されて美麗で特異な外観を得ることができる。
【００１２】
また該視野角制限手段を積層した蓋体の少なくとも一部分を透明乃至半透明にして、該視野角制限手段に対して直交する方向から見たときに容器内部が蓋を開けずとも目視確認できる構造としても良い。これについては、蓋を閉じた状態で容器の内側を目視確認することができれば良く、例えば該視野角制限手段を積層した蓋体の少なくとも一部分を表裏に貫通して切除したものであっても良く限定されるものではない。
【００１３】
また視野角制限手段と蓋体との間に、ハーフミラーを配置した積層構造とすることが可能であり、この場合さらに特異な外観を得ることができるが、特に前記の如く蓋を閉じた状態で容器の内側を目視確認することができる構造を有する蓋体としたものにおいて、ハーフミラーの鏡面を該蓋体の方に向けて配置した構造とすることができ、この場合には該視野角制限手段に対して直交する方向から見たときには容器の内側を閉蓋したまま外部から目視し確認することができる。
【００１４】
または蓋を開けて鏡としても使用することもできて意匠上においても使用上においても好ましいものとすることが可能である。蓋を開けて鏡として使用する際、鏡面の裏側からの入射光は視野角制限手段を通して入射するので、鏡面の表側から鏡面に対して入射する光量と比較して光量が低下するため相対的に鏡面の裏側が暗所状態になり、ハーフミラーの特性上安定した鏡面を得ることが可能な構造となっている。
【００１５】
尚、ハーフミラーの光透過率が低過ぎれば蓋を閉じた状態において容器の内側を目視確認することが困難となり、逆に高過ぎれば鏡としての使用性が低下してしまうので、鏡として安定した使用性が得られ且つ蓋を閉じた状態において容器の内側が目視確認できる程度の光透過率、好ましくは光透過率１０〜３０％のものとすれば前記両機能は使用に耐える性能に達せられるが、意匠性等を重視することも想定されるのでこれに限定されない。
【００１６】
また、前記視野角制限手段と蓋体との間にハーフミラーを配置して積層したこと又は蓋体の裏面に視野角制限手段を配置し更にこの内側表面にハーフミラーを配置して積層したことを特徴とする。  或いは、蓋体の表面に視野角制限手段を配置し、蓋体の裏面にハーフミラーを配置しても良く、若しくは蓋体の裏面に視野角制限手段を配置し、この視野角制限手段に対し更にハーフミラーを積層する構造でも良い。すなわち、蓋体と視野角制限体及びハーフミラーを積層配置する順序は特に限定されない。またハーフミラーの鏡面は容器の内側又は外側のどちらに向けて配置しても良く特に限定されないが、鏡としての使用性を重視する場合には、鏡面を容器の内側に向けて配置することで、鏡を見ながら容器内に収容された化粧料や化粧用具を使用することができて便利が高くなり好ましい。
【００１７】
【実施例】
以下、本発明を適用した化粧用コンパクト容器を図１〜図５に基づいて説明する。先ず、図１は本発明に係わる化粧用コンパクト容器の断面図であり、図２は本発明の視野角制限手段とハーフミラーとを積層した構造を斜視図に示したものであり、図３は本発明の視野角制限体の表面に数字を施してなる視野角制限手段を配置した蓋体を閉じて該数字が斜めの視点から見えている状態を斜視図に示したものであり、図４は本発明の蓋体を閉じた状態において蓋体の上面から容器の内側が透けて見えている状態を平面図に示したものであり、図５は本発明の蓋体を開けてハーフミラーが鏡化している状態を斜視図に示したものである。
【００１８】
次に、これらの図を参照しながら具体的な構造を説明する。この化粧用コンパクト容器は、化粧料を収容するための凹部に形成された化粧料収容部（３）とパフ等の化粧用具を収納するための凹部に形成された化粧用具収納部（４）とを有する透明の容器本体（１）と、容器本体（１）の後端にヒンジで開閉自在に連結された透明の蓋体（２）を有し、蓋体（２）の表面（１０）に鏡面が対面する向きにハーフミラー（８）を取り付けて積層し、このハーフミラー（８）の上に更に、光透過性を有する二枚の平行なＰＥＴ製のフィルム状カバー材（５）の間に、モチーフ（１２）を表面の適所に施した各視野角制限体（６）をフィルム状カバー材（５）の面と直交する向きに等間隔で配設してなる視野角制限手段（７）を積層して構成されている。
【００１９】
そして、前記化粧料収容部（３）は所望の化粧料（１４）が収容できるようになっていて、また化粧用具収納部（４）にはパフ（１３）が挟持されつつ収納されている。
【００２０】
この化粧用コンパクト容器は、図に示すように閉蓋状態において、蓋体（２）に対して特定の斜めの視点からは、各視野角制限体（６）の表面に予め施した各々のモチーフ（１２）が統合された状態で１つのデザインや表示が作出される。そして、容器の内側は視野角制限体（６）によって内側からの光が遮られ視認することができないようになっている。また蓋体（２）に対して垂直の視点からは、透明な蓋体（２）とハーフミラー（８）及び光透過性を有する視野角制限手段（７）を透過した光によって、閉蓋状態の容器が透け、この内側を視認することが可能となる。
【００２１】
この化粧用コンパクト容器を開蓋状態にして鏡として使用する場合には、容器本体（１）にヒンジ連結された蓋体（２）をヒンジを軸に回動して開放させる。回動して開蓋状態となった蓋体（２）の裏面（１１）に、蓋体（２）の表面（１０）に鏡面が対面する向きに取り付けられたハーフミラー（８）の鏡面が蓋体（２）の透明な肉厚を介して配置された状態になる。この状態において、視野角制限手段（７）を透過して入射する光量と透明な蓋体（２）の肉厚を透過して入射する光量とに差が生じ、相対的にハーフミラー（８）の裏面（９）が暗所となり、これによってハーフミラー（８）の特性から蓋体（２）の透明な肉厚を介して配置された状態であった鏡面が効果的に鏡化して、ここに鏡が現出し、鏡として使用することが可能となる。
【００２２】
【発明の効果】
以上説明したように本発明によれば、蓋体の表面に配置された視野角制限手段によって、光の放射角や方向が制限され又散乱光や干渉光が加味されて、見る角度や視点による色彩や立体感、透明感等の外観の多様な変化を付与することができ特異にして美麗な優れた意匠を効果的に得られる。
【００２３】
また、特定の視点からは閉蓋状態の容器の内側を目視することができるようにしてあるので、容器本体の凹部に形成された化粧料収容部に収容された化粧料の残量等を閉蓋状態において目視確認することができるという効果が得られる。
【００２４】
更に、ハーフミラーの裏面側が、鏡面側に対して相対的に暗所となるように蓋体と視野角制限手段及びハーフミラーをそれぞれ適所に配置したことで、本発明の化粧用コンパクト容器を鏡として使用する際に、ハーフミラーの鏡面が効果的に鏡化され、鏡としての使用性を高めることができるという効果が得られる。
【図面の簡単な説明】
【図１】本発明に係わる化粧用コンパクト容器の断面図である。
【図２】本発明の視野角制限手段とハーフミラーとを積層した構造を斜視図に示したものである。
【図３】本発明の視野角制限体の表面に数字を施してなる視野角制限手段を配置した蓋体を閉じて該数字が斜めの視点から見えている状態を斜視図に示したものである。
【図４】本発明の蓋体を閉じた状態において蓋体の上面から容器の内側が透けて見えている状態を平面図に示したものである。
【図５】本発明の蓋体を開けてハーフミラーが鏡化している状態を斜視図に示したものである。
【符号の説明】
（１）  容器本体
（２）  蓋体
（３）  化粧料収容部
（４）  化粧用具収納部
（５）  フィルム状カバー材
（６）  視野角制限体
（７）  視野角制限手段
（８）  ハーフミラー
（９）  裏面
（１０）  表面
（１１）  裏面
（１２）  モチーフ
（１３）  パフ
（１４）  化粧料
【図１】
2004290564.tif 000003
【図２】
2004290564.tif 000004
【図３】
2004290564.tif 000005
【図４】
2004290564.tif 000006
【図５】
2004290564.tif 000007